(57)【要約】  【課題】機内に生じる泡を効果的に除去する。  【解決手段】台所洗剤コースにおけるつけ置き行程では、２５秒間の給排水ＦＤ１（給水時間は４秒間）を行った後（ステップＥ６）、３０秒間の給排水ＦＤ２（給水時間は２２秒間）を行う（ステップＥ８）。これに対して、専用洗剤コースにおける洗い行程では、２５秒間の給排水ＦＤ１（給水時間は４秒間）のみを行う。  【効果】洗浄兼排水ポンプ内により多くの洗浄水を流入させて、当該洗浄兼排水ポンプから機外に排出させることができる。給排水時に洗浄タンク内に供給される水道水と一緒に、洗浄タンク内に残った泡および洗浄兼排水ポンプ内に溜まった泡を機外に良好に排出することができる。【選択図】          図９
2005058364.tif 000002
【特許請求の範囲】
【請求項１】
専用洗剤を用いて食器の洗浄を行う専用洗剤コースと、台所洗剤を用いて食器の洗浄を行う台所洗剤コースとを実行可能な食器洗い機であって、
洗浄タンクと、
上記洗浄タンク内に収容された食器に向けて水を噴射する水噴射行程を実行可能な水噴射行程実行手段と、
上記水噴射行程の後に、上記洗浄タンク内の水を排水する排水行程を実行可能な排水行程実行手段と、
上記排水行程の途中で上記洗浄タンク内に給水を行う給水行程を実行可能な給水行程実行手段とを含み、
台所洗剤コースのとき、上記給水行程実行手段は、専用洗剤コースのときよりも長い時間だけ給水行程を行うものであることを特徴とする食器洗い機。
【請求項２】
台所洗剤を用いて食器の洗浄を行う台所洗剤コースを実行可能な食器洗い機であって、
洗浄タンクと、
上記洗浄タンク内に収容された食器に向けて水を噴射して食器をすすぐためのすすぎ行程を実行可能なすすぎ行程実行手段と、
台所洗剤コースにおけるすすぎ行程中に、食器に対する水の噴射を所定時間だけ停止させることにより、上記洗浄タンク内に生じている泡を自然消滅させるための泡除去手段とを含むことを特徴とする食器洗い機。
【請求項３】
台所洗剤を用いて食器の洗浄を行う台所洗剤コースを実行可能な食器洗い機であって、
洗浄タンクと、
上記洗浄タンク内に所定量以上の泡が生じているか否かを検知するための泡検知手段と、
上記洗浄タンク内に収容された食器に向けて水を噴射して食器をすすぐためのすすぎ行程を実行可能なすすぎ行程実行手段と、
台所洗剤コースにおけるすすぎ行程中、上記泡検知手段によって上記洗浄タンク内に所定量以上の泡が生じていると検知された場合に、すすぎ行程を延長するすすぎ延長手段とを含むことを特徴とする食器洗い機。
【請求項４】
上記すすぎ行程は、上記洗浄タンク内に収容された食器に向けて水を噴射して食器をすすいだ後に上記洗浄タンク内の水を排水するすすぎ動作を所定回数だけ実行するものであって、
上記すすぎ延長手段は、すすぎ行程中に上記泡検知手段によって上記洗浄タンク内に所定量以上の泡が生じていると検知されるのに応じて、すすぎ動作の実行回数を増加させるものであり、
上記すすぎ延長手段によって増加されたすすぎ動作の実行回数が所定値を超えた場合に、上記洗浄タンク内の泡を除去するための泡除去処理を実行する泡除去処理実行手段を含むことを特徴とする請求項３記載の食器洗い機。
【請求項５】
洗浄タンクと、
上記洗浄タンク内に収容された食器に向けて水を噴射する水噴射行程を実行可能な水噴射行程実行手段と、
上記洗浄タンク内の水を機外に排出する排水行程を実行可能な排水行程実行手段と、
上記洗浄タンク内の水を吸い込むためのポンプであって、水噴射行程時に上記洗浄タンク内から吸い込んだ水を吐出する噴射用吐出口と、排水行程時に上記洗浄タンク内から吸い込んだ水を吐出する排水用吐出口とを有し、排水行程時に上記排水用吐出口から水を吐出させる際、その吐出量よりも少量の水が上記噴射用吐出口からも吐出される洗浄兼排水ポンプと、
水噴射行程の後に行われる排水行程時において、上記洗浄兼排水ポンプの吐出量がより多くなるように当該洗浄兼排水ポンプの駆動を制御する駆動制御手段とを含むことを特徴とする食器洗い機。
【請求項６】
上記洗浄タンク内に所定量以上の泡が生じているか否かを検知するための泡検知センサと、
上記排水用吐出口に連通し、排水行程時に上記洗浄タンク内の水を上記泡検知センサ側へと導いて、上記泡検知センサを洗浄するためのセンサ洗浄用通水路とを含むことを特徴とする請求項５記載の食器洗い機。
【発明の詳細な説明】
【技術分野】
【０００１】
この発明は、洗浄タンク内に収容された食器に向けて洗浄水を噴射することにより食器を洗浄することができる食器洗い機に関する。
【背景技術】
【０００２】
通常、食器洗い機は、洗浄タンク内に溜めた水に専用洗剤を混ぜ合わせることにより洗浄水を生成し、その洗浄水を食器に向けて噴射することにより食器を洗浄することができるようになっている（たとえば、特許文献１参照）。洗浄タンク内には複数のノズルが配置されており、洗浄タンク内に溜められた洗浄水は、洗浄ポンプにより吸い込まれて複数のノズルから食器に向けて噴射される。そして、噴射された洗浄水は洗浄タンク内に溜まり、再び複数のノズルから食器に向けて噴射される。
【０００３】
食器洗い機では、複数のノズルから勢いよく洗浄水を噴射させるとともに、洗浄タンク内の洗浄水を上記のように循環させて使用するため、食器を手洗いする場合よりも洗剤が泡立ちやすい。特に、食器を一度手洗いした後に食器洗い機で洗浄する場合のように、食器に付着している汚れが少ない場合には、洗剤がさらに泡立ちやすく、洗浄タンク内に大量の泡が生じるおそれがある。洗浄タンク内で泡が大量に発生すると、洗浄性能が低下したり、機外に泡が漏れたりするなどの問題が生じるため、専用洗剤は、手洗い時に使用する一般の台所洗剤よりも泡立ちにくくなっている。
【特許文献１】特開平８−１４０９１９号公報
【発明の開示】
【発明が解決しようとする課題】
【０００４】
専用洗剤をわざわざ用意するのは面倒であり、台所洗剤を使用して食器の洗浄を行うことができれば便利である。かといって、従来の食器洗い機では、台所洗剤を使用すると洗浄タンク内に大量の泡が生じてしまう。
【０００５】
洗浄タンク内に大量の泡が生じた場合には、洗浄ポンプ内に泡が吸い込まれて、洗浄ポンプや洗浄ポンプに連通する通水路（たとえば、洗浄ポンプとノズルとを接続する送水管など）に泡が溜まり、洗浄水の流れが悪くなるおそれがある。
【０００６】
この発明は、かかる背景のもとでなされたもので、機内に生じる泡を効果的に除去することができる食器洗い機を提供することを目的とする。
【課題を解決するための手段】
【０００７】
上記目的を達成するための請求項１記載の発明は、専用洗剤を用いて食器の洗浄を行う専用洗剤コースと、台所洗剤を用いて食器の洗浄を行う台所洗剤コースとを実行可能な食器洗い機（１）であって、洗浄タンク（３）と、上記洗浄タンク内に収容された食器に向けて水（洗浄水または水道水）を噴射する水噴射行程を実行可能な水噴射行程実行手段（２０，２６，２９，３５，８１，８３，Ｅ２）と、上記水噴射行程の後に、上記洗浄タンク内の水を排水する排水行程を実行可能な排水行程実行手段（２０，８１，８３，Ｅ６，Ｅ８）と、上記排水行程の途中で上記洗浄タンク内に給水を行う給水行程を実行可能な給水行程実行手段（２０，８１，８４，Ｅ６，Ｅ８）とを含み、台所洗剤コースのとき、上記給水行程実行手段は、専用洗剤コースのときよりも長い時間だけ給水行程を行うものであることを特徴とする食器洗い機である。
【０００８】
なお、括弧内の英数字は、後述の実施形態における対応構成要素などを表す。以下、この項において同じ。
【０００９】
この構成によれば、台所洗剤コースのときは、専用洗剤コースのときよりも長い時間だけ給排水が行われるので、洗浄タンク内の水を機外に排出するためのポンプ（洗浄兼排水ポンプ）内により多くの水を流入させて、当該ポンプから機外に排出させることができる。これにより、給排水時に洗浄タンク内に供給される水と一緒に、洗浄タンク内に残った泡およびポンプ内に溜まった泡を機外に良好に排出することができる。したがって、機内に生じる泡を効果的に除去することができる。
【００１０】
上記水噴射行程は、上記洗浄タンク（３）内に収容された食器に洗浄水を噴射して所定時間だけ放置するつけ置き行程（Ｅ２）を含み、上記排水行程実行手段（２０，８１，８３，Ｅ６，Ｅ８）は、上記つけ置き行程の後に排水行程を実行可能であってもよい。
【００１１】
上記排水行程実行手段（２０，８１，８３，Ｅ６，Ｅ８）は、給水行程が行われているときに上記洗浄タンク（３）内の水を排水するものであってもよいし、給水行程が行われた後に上記洗浄タンク内の水を排水するものであってもよい。
【００１２】
請求項２記載の発明は、台所洗剤を用いて食器の洗浄を行う台所洗剤コースを実行可能な食器洗い機（１）であって、洗浄タンク（３）と、上記洗浄タンク内に収容された食器に向けて水（水道水）を噴射して食器をすすぐためのすすぎ行程を実行可能なすすぎ行程実行手段（２０，２６，２９，３５，８１，８３，Ｑ２）と、台所洗剤コースにおけるすすぎ行程中に、食器に対する水の噴射を所定時間だけ停止させることにより、上記洗浄タンク内に生じている泡を自然消滅させるための泡除去手段（８１）とを含むことを特徴とする食器洗い機である。
【００１３】
この構成によれば、台所洗剤コースにおけるすすぎ行程中に食器に対する水の噴射を所定時間だけ停止させることにより、洗浄タンク内の泡を良好に自然消滅させることができる。したがって、機内に生じる泡を効果的に除去することができる。
【００１４】
上記所定時間は、泡が自然消滅するのに十分な時間（たとえば、約１分）であることが好ましい。
【００１５】
上記すすぎ行程は、上記洗浄タンク（３）内に収容された食器に向けて水を噴射して食器をすすぐすすぎ動作と、すすぎ動作の後に上記洗浄タンク内の水を排水する排水動作とを含み、上記泡除去手段（８１）は、すすぎ動作が終了した後、排水動作の前に食器に対する水の噴射を所定時間だけ停止させるものであることが好ましい。ただし、上記泡除去手段（８１）は、すすぎ動作の途中で食器に対する水の噴射を所定時間だけ停止させるものであってもよい。
【００１６】
上記泡除去手段（８１）は、台所洗剤コースにおけるすすぎ行程中に、食器に対する水の噴射を所定時間（たとえば、約１分）だけ停止させた後、上記洗浄タンク（３）内に所定時間（たとえば、０．５秒間）だけ給水を行い、所定時間（たとえば、０．５秒間）だけ停止させる動作を複数回（たとえば、２回）繰り返すことにより間欠運転を行うものであれば、水面の隅（洗浄タンクの内面寄り）などに残った泡を洗浄タンク内の水に溶け込ませることができるので、洗浄タンク内の泡をさらに良好に除去することができる。
【００１７】
請求項３記載の発明は、台所洗剤を用いて食器の洗浄を行う台所洗剤コースを実行可能な食器洗い機（１）であって、洗浄タンク（３）と、上記洗浄タンク内に所定量以上の泡が生じているか否かを検知するための泡検知手段（７６）と、上記洗浄タンク内に収容された食器に向けて水（水道水）を噴射して食器をすすぐためのすすぎ行程を実行可能なすすぎ行程実行手段（２０，２６，２９，３５，８１，８３，Ｑ２，Ｐ２）と、台所洗剤コースにおけるすすぎ行程中、上記泡検知手段によって上記洗浄タンク内に所定量以上の泡が生じていると検知された場合に（Ｕ３，Ｕ５，Ｕ７でＹＥＳ）、すすぎ行程を延長するすすぎ延長手段（８１）とを含むことを特徴とする食器洗い機である。
【００１８】
この構成によれば、台所洗剤コースにおけるすすぎ行程中、泡検知手段によって洗浄タンク内に所定量以上の泡が生じていると検知された場合に、すすぎ行程が延長されるので、洗浄タンク内の泡を良好に除去することができる。したがって、機内に生じる泡を効果的に除去することができる。
【００１９】
請求項４記載の発明は、上記すすぎ行程は、上記洗浄タンク内に収容された食器に向けて水を噴射して食器をすすいだ後に上記洗浄タンク内の水を排水するすすぎ動作（第１〜第３すすぎ）を所定回数だけ実行するものであって、上記すすぎ延長手段（８１）は、すすぎ行程中に上記泡検知手段（７６）によって上記洗浄タンク（３）内に所定量以上の泡が生じていると検知されるのに応じて、すすぎ動作の実行回数を増加させるものであり、上記すすぎ延長手段によって増加されたすすぎ動作の実行回数が所定値を超えた場合に（Ｕ８でＮＯ）、上記洗浄タンク内の泡を除去するための泡除去処理を実行する泡除去処理実行手段（２０，２６，２９，３５，８１，８３，Ｕ９）を含むことを特徴とする請求項３記載の食器洗い機（１）である。
【００２０】
この構成によれば、すすぎ延長手段によって増加されたすすぎ動作の実行回数が所定値を超えるまですすぎ行程を延長しても洗浄タンク内の泡が上記所定量未満にならないときには、泡除去処理が行われることにより、洗浄タンク内の泡が除去される。したがって、機内に生じる泡をさらに効果的に除去することができる。
【００２１】
請求項５記載の発明は、洗浄タンク（３）と、上記洗浄タンク内に収容された食器に向けて水（洗浄水または水道水）を噴射する水噴射行程を実行可能な水噴射行程実行手段（２０，２６，２９，３５，８１，８３，Ｅ２，Ｐ２，Ｑ２，Ｒ２）と、上記洗浄タンク内の水を機外に排出する排水行程を実行可能な排水行程実行手段（２０，８１，８３，Ｅ４，Ｐ４，Ｑ４，Ｒ４）と、上記洗浄タンク内の水を吸い込むためのポンプであって、水噴射行程時に上記洗浄タンク内から吸い込んだ水を吐出する噴射用吐出口（２３）と、排水行程時に上記洗浄タンク内から吸い込んだ水を吐出する排水用吐出口とを有し、排水行程時に上記排水用吐出口から水を吐出させる際、その吐出量よりも少量の水が上記噴射用吐出口からも吐出される洗浄兼排水ポンプ（２０）と、水噴射行程の後に行われる排水行程時において、上記洗浄兼排水ポンプの吐出量がより多くなるように当該洗浄兼排水ポンプの駆動を制御する駆動制御手段（８１）とを含むことを特徴とする食器洗い機（１）である。
【００２２】
この構成によれば、駆動制御手段の働きによって洗浄兼排水ポンプの吐出量がより多い吐出量に切り替えられることにより、排水時に噴射用吐出口から吐出される水量が多くなる。したがって、噴射用吐出口に接続された送水管内に溜まった泡を排出させて洗浄タンク内の水に溶け込ませ、その水を洗浄兼排水ポンプで吸い込んで機外に排出することができる。したがって、機内に生じる泡を効果的に除去することができる。
【００２３】
請求項６記載の発明は、上記洗浄タンク（３）内に所定量以上の泡が生じているか否かを検知するための泡検知センサ（７６）と、上記排水用吐出口に連通し、排水行程時に上記洗浄タンク内の水を上記泡検知センサ側へと導いて、上記泡検知センサを洗浄するためのセンサ洗浄用通水路（７７）とを含むことを特徴とする請求項５記載の食器洗い機（１）である。
【００２４】
この構成によれば、駆動制御手段の働きによって洗浄兼排水ポンプの吐出量がより多い吐出量に切り替えられると、洗浄兼排水ポンプの排水用吐出口からセンサ洗浄用通水路を介して泡検知センサ側へと送られる水の量も多くなる。したがって、センサ洗浄用通水路内に溜まった泡を排出させて洗浄タンク内の水に溶け込ませ、その水を洗浄兼排水ポンプで吸い込んで機外に排出することができる。したがって、機内に生じる泡をさらに効果的に除去することができる。
【発明を実施するための最良の形態】
【００２５】
以下には、図面を参照して、この発明の実施形態について具体的に説明する。
【００２６】
図１は、この発明の一実施形態に係る食器洗い機１を正面側から斜めに見た斜視図である。
【００２７】
図１を参照して、この食器洗い機１は、その外形が略直方体形状の筐体２により区画されている。筐体２は、左右方向の長さ（幅）に比べて前後方向の長さ（奥行き）が短く形成されている。
【００２８】
筐体２の内部には、洗浄すべき食器を収容するための洗浄タンク３が配置されており、この洗浄タンク３の前面には開口４が形成されている（図２参照）。開口４は、筐体２に対して回動可能に取り付けられた２枚の扉（上扉５および下扉６）により覆うことができるようになっている。上扉５によって開口４の上半分程度を覆うことができ、下扉６によって開口４の下半分程度を覆うことができる。上扉５は手前上方に回動可能となっている一方、下扉６は手前下方に回動可能となっている。これらの上扉５および下扉６を閉じた状態では、開口４が覆われて、洗浄タンク３が水密に塞がれる。
【００２９】
下扉６の上端部には、その左右方向の中央部に、当該下扉６を開く際にユーザが握るための把持部７が配置されている。ユーザは、把持部７を握って手前側に引くことにより、下扉６を手前下方に回動させることができる。上扉５は下扉６に連動して開閉するようになっていて、下扉６が手前下方に回動されると、それに連動して上扉５が手前上方に回動され、開口４が大きく開放される。
【００３０】
筐体２の前面下部には、この食器洗い機１における運転内容（運転コースなど）を設定したり、運転状況を表示したりするための操作表示パネル８が配置されている。
【００３１】
図２は、食器洗い機１を前後方向に沿った鉛直面で切断したときの断面を右側から見た断面図である。また、図３は、上扉５および下扉６を取り外した状態で食器洗い機１を前方から見た正面図である。ただし、図３では、食器洗い機１の下部を省略して示している。
【００３２】
図２および図３を参照して、洗浄タンク３内には、洗浄すべき食器を保持するための２つの食器かご９（上かご９Ａおよび下かご９Ｂ）が、上下方向に一定間隔を開けて配置されている。上かご９Ａおよび下かご９Ｂは、それぞれ前後方向にスライド可能に配置されていて、上扉５および下扉６を開いた状態で開口４を介して手前側に引き出し、食器の出し入れを容易に行うことができるようになっている。
【００３３】
下かご９Ｂの右側の部分（右端から３分の１程度の範囲）は、中皿や大皿などの比較的大きな皿を立てた状態で収容可能な大皿収容部１０となっている。また、下かご９Ｂの中央部から左側にかけての部分（左端から３分の２程度の範囲）は、茶碗、汁椀およびどんぶりなどの碗物を、横にして立てた状態で収容可能な碗収容部１１となっている。
【００３４】
上かご９Ａの右側の部分（右端から３分の１程度の範囲）は、小鉢を収容するための小鉢収容部１２となっている。また、上かご９Ａの中央部から左側にかけての部分（左端から３分の２程度の範囲）は、コップや湯のみなどを収容するためのコップ収容部１３となっている。小鉢収容部１２には、前後２列にそれぞれ２個ずつ（計４個）の小鉢を左右に並べて収容可能となっており、コップ収容部１３には、前後３列にそれぞれ４個ずつ（計１２個）のコップを左右に並べて収容可能となっている。小鉢収容部１２に収容される小鉢、およびコップ収容部１３に収容されるコップや湯のみなどは、それぞれ開口が下方を向くようにしてセットされる。
【００３５】
大皿収容部１０に収容する大皿などは、碗収容部１１に収容する茶碗などよりも上下方向の収容スペースを要する一方、小鉢収容部１２に収容する小鉢は、コップ収容部１３に収容するコップなどよりも上下方向の収容スペースを要しない。そこで、この実施形態では、小鉢収容部１２を大皿収容部１０の上方に配置し、コップ収容部１３を碗収容部１１の上方に配置するような構成とし、さらにコップ収容部１３を小鉢収容部１２よりも１段低く形成することにより、上かご９Ａおよび下かご９Ｂに効率よく食器を収容できるようになっている。なお、上かご９Ａおよび下かご９Ｂの周縁部などの空きスペースには、小皿を立てた状態で収容することができるようになっている。
【００３６】
洗浄タンク３の左右内側面３Ａの上部には、上かご９Ａの左右側縁部と係合して前後方向にスライド可能に保持するための２対のレール１４が、上下方向に一定間隔を空けて平行に配置されている（図２では、各対の左側のレール１４だけが見えている。）。この構成によれば、上下に並ぶ２対のレール１４のいずれに上かご９Ａの左右側縁部を係合させるかによって、上かご９Ａの高さを２段階に切り替えることができる。上かご９Ａの左右側縁部を上側のレール１４に係合させて、上かご９Ａを高い方の位置に保持すれば、大皿収容部１０の上方に比較的大きな空間を形成することができるので、特に大きな大皿であっても大皿収容部１０に良好に収容することができる。
【００３７】
図４は、食器洗い機１を前後方向に沿った水平面で切断したときの断面を上方から見た断面図であって、下扉６を開いた状態を示している。
【００３８】
図２〜図４を参照して、洗浄タンク３の底面３Ｂの手前側左部には、洗浄水を溜めておくための貯水部１５が、一段低く形成されている。洗浄タンク３内には、たとえば、機外の給水設備や給湯設備から水道水を供給することができるようになっていて、洗浄タンク３内に供給された水道水は、貯水部１５を含む洗浄タンク３の下部に溜まるようになっている。給水設備から洗浄タンク３内への水道水の供給、および給湯設備から洗浄タンク３内への水道水（湯）の供給は、給水バルブ８４（図６参照）の開閉により行われる。給湯設備から給水バルブ８４を介して洗浄タンク３内に湯を供給する場合には、たとえば操作表示パネル８の操作によってその旨の設定を行う。食器の洗浄に使用する洗浄水は、洗浄タンク３内に洗剤を投入することにより、その洗剤が洗浄タンク３内に供給された水道水と混ぜ合わされて生成される。
【００３９】
洗浄タンク３内に溜められた洗浄水（または水道水）の水位は、洗浄タンク３の後方下部に配置された水位センサ１６（圧力センサ）によって検知される。貯水部１５にはエアトラップ１７が連通していて、このエアトラップ１７と水位センサ１６とがエアホース１８で接続されている。このような構成によれば、洗浄タンク３内の水位の変化に応じてエアトラップ１７内の空気の圧力が変化するので、このエアトラップ１７内の空気の圧力の変化を水位センサ１６で検知することにより、洗浄タンク３内に溜められた洗浄水の水位を検知することができる。
【００４０】
下扉６の内面（閉じた状態で洗浄タンク３側となる面）には、そのほぼ中央部に専用洗剤（通常は粉末）を収容するための凹部（専用洗剤収容部１９Ａ）が形成されていて、この専用洗剤収容部１９Ａの左側に台所洗剤（通常は液体）を収容するための凹部（台所洗剤収容部１９Ｂ）が形成されている（図４参照）。この食器洗い機１では、専用洗剤収容部１９Ａに専用洗剤を収容し、その専用洗剤を洗浄タンク３内に供給された水道水と混ぜ合わせて食器の洗浄を行うコース（専用洗剤コース）や、台所洗剤収容部１９Ｂに台所洗剤を収容し、その台所洗剤を洗浄タンク３内に供給された水道水と混ぜ合わせて食器の洗浄を行うコース（台所洗剤コース）などの各種運転コースを実行可能である。
【００４１】
専用洗剤収容部１９Ａおよび台所洗剤収容部１９Ｂは、それぞれ異なる形状で形成されている。すなわち、専用洗剤収容部１９Ａは平面視で略長方形に形成されている一方、台所洗剤収容部１９Ｂは平面視で略円形に形成されている。下扉６を開いた状態では、専用洗剤収容部１９Ａおよび台所洗剤収容部１９Ｂの開口がそれぞれ上を向いた状態となり、専用洗剤および台所洗剤を収容することが可能になる。専用洗剤収容部１９Ａに専用洗剤を収容した後、または台所洗剤収容部１９Ｂに台所洗剤を収容した後、下扉６を閉じると、専用洗剤収容部１９Ａに収容されている専用洗剤または台所洗剤収容部１９Ｂに収容されている台所洗剤が洗浄タンク３内に落下し、洗浄タンク３内に供給される水道水と混ぜ合わせられる。
【００４２】
台所洗剤コースで食器の洗浄を行う場合、使用する台所洗剤の量は、５ｍｌ程度が好ましい。台所洗剤には、中性、弱アルカリ性および弱酸性のものがあるが、洗剤量を５ｍｌ程度にすれば、いずれの種類の台所洗剤を使用した場合でも、食器を十分に洗浄することができる。
【００４３】
洗浄タンク３の下方（貯水部１５の後方）には、食器の洗浄時に洗浄タンク３内の洗浄水を循環させたり、洗浄タンク３内の洗浄水を排水したりするための洗浄兼排水ポンプ２０が配置されている。図２においては図示しないが、洗浄兼排水ポンプ２０は、その内部が洗浄ポンプ室と排水ポンプ室とに区画されていて、洗浄ポンプ室および排水ポンプ室には、それぞれポンプモータ８３（図６参照）によって回転駆動可能な洗浄用インペラおよび排水用インペラが備えられている。
【００４４】
洗浄ポンプ室の吸入口２１は、貯水部１５の後壁に形成された循環口２２に接続されていて、洗浄ポンプ室の吐出口２３は、洗浄タンク３の下方に左右方向に沿って延設された通水路２４に接続されている。この通水路２４は、後述する回転ノズルアームおよび固定ノズルアームに接続されている。ポンプモータ８３が正転されると、洗浄ポンプ室内の洗浄用インペラの回転によって、貯水部１５から循環口２２を介して洗浄ポンプ室内に洗浄水が吸い込まれ、その洗浄水が吐出口２３から通水路２４に送り出される。通水路２４を介して圧送された洗浄水は、回転ノズルアームおよび固定ノズルアームから洗浄タンク３内の食器に向けて噴射される。回転ノズルアームおよび固定ノズルアームから噴射された洗浄水は、再び洗浄タンク３の底部に溜まり、貯水部１５から循環口２２を介して洗浄兼排水ポンプ２０（洗浄ポンプ室）に吸い込まれる。このようにして、貯水部１５に溜められた洗浄水は、食器洗い機１内で循環されて、食器の洗浄に使用されるようになっている。
【００４５】
また、排水ポンプ室の吸込口は貯水部１５の左側壁に形成された排水口２５に接続されていて、排水ポンプ室の吐出口は機外に連通する排水路（図示せず）に接続されている。ポンプモータ８３が反転されると、排水ポンプ室内の排水用インペラの回転によって、貯水部１５から排水口２５を介して排水ポンプ室内に洗浄水が吸い込まれ、その洗浄水が排水路を介して機外に排出される。
【００４６】
洗浄タンク３の底部には、下かご９Ｂの下方から上方に向かって洗浄水を噴射するための２つの回転ノズルアーム２６が、左右に並べて配置されている。これら２つの回転ノズルアーム２６は、それぞれ略楕円状の長尺形状を有していて、共通のノズルベース２７により、それぞれの長手方向中央部を中心にして、水平面内で回転可能に保持されている。ノズルベース２７は、通水路２４に連通している。
【００４７】
各回転ノズルアーム２６の上面には、複数（たとえば、６個）のノズル２８が形成されている。洗浄兼排水ポンプ２０から通水路２４およびノズルベース２７を介して各回転ノズルアーム２６に送られてきた洗浄水は、各回転ノズルアーム２６のノズル２８から上方に向かって噴射される。各回転ノズルアーム２６のノズル２８から洗浄水が噴射される際、各回転ノズルアーム２６に対して反力が生じ、その反力によって、各回転ノズルアーム２６はノズル２８から洗浄水を噴射しつつ回転することとなる。これにより、各回転ノズルアーム２６の上方に位置する食器に満遍なく洗浄水を噴射して、良好に洗浄を行うことができる。
【００４８】
洗浄タンク３の後面３Ｃ（内面）には、上かご９Ａと下かご９Ｂとの間から洗浄水を噴射するための固定ノズルアーム２９が配置されている。固定ノズルアーム２９は、その下端から上方に延びた後、途中から第１アーム３０と第２アーム３１とに分岐した形状となっている。固定ノズルアーム２９は、その下端が通水路２４に連通している。
【００４９】
第１アーム３０は、上かご９Ａのコップ収容部１３よりもやや低い位置で左方に分岐して、後面３Ｃの左端近傍まで略水平に延びている。第１アーム３０には、コップ収容部１３の最後列（３列目）に収容されたコップに向けて上方に洗浄水を噴射するためのノズル３２が、コップ収容部１３の最後列に収容可能なコップの数と同じ数（４個）だけ備えられている。各ノズル３２は、コップ収容部１３の最後列に収容される４つのコップに対応付けられていて、対応するコップ内に洗浄水を噴射することができるようになっている。
【００５０】
第２アーム３１は、第１アーム３０の分岐位置よりもさらに上方まで延びた後、小鉢収容部１２よりもやや低い位置で右方に屈曲し、後面３Ｃの右端近傍まで略水平に延びている。第２アーム３１には、小鉢収容部１２に収容された小鉢に向けて上方に洗浄水を噴射するための複数（たとえば、３つ）のノズル３３が備えられている。また、第２アーム３１には、大皿収容部１０に収容された大皿に向けて下方に洗浄水を噴射するためのインペラ型のノズル３４が複数（たとえば、２つ）備えられている。このインペラ型のノズル３４では、洗浄水の噴射に伴ってインペラが回転し、広範囲に洗浄水を撒き散らすことができる。このインペラ型のノズル３４により、右側の回転ノズルアーム２６からの洗浄水が届きにくい大皿の上部分に洗浄水を噴射することができる。
【００５１】
洗浄タンク３の天面３Ｄ（内面）には、コップ収容部１３の中央部のほぼ真上の位置に、下方に向けて洗浄水を噴射するための天面ノズル３５が配置されている。この天面ノズル３５は、送水管３６を介して洗浄兼排水ポンプ２０の洗浄ポンプ室に接続されている。したがって、ポンプモータ８３が正転して洗浄ポンプ室内の洗浄用インペラが回転すると、貯水部１５から循環口２２を介して洗浄ポンプ室に吸い込まれた洗浄水が、送水管３６を介して天面ノズル３５に送られ、天面ノズル３５から下方に噴射される。天面ノズル３５からの洗浄水は、左右方向に拡散されて、当該天面ノズル３５の真下に近い位置と、天面ノズル３５よりも後方側の位置とに噴射される。これにより、コップ収容部１３の２列目および３列目に収容されたコップの外面を良好に洗浄することができる（図２参照）。
【００５２】
貯水部１５の上縁部には、メッシュ状の残菜フィルタ３７が着脱可能に配置されていて、洗浄時に食器から分離した残菜は、この残菜フィルタ３７により捕獲され、貯水部１５への流入が阻止されるようになっている。残菜フィルタ３７の前端中央部には、上方に延びる把持部３８が形成されており、ユーザは、この把持部３８を掴んで残菜フィルタ３７の着脱を容易に行うことができるようになっている。
【００５３】
この食器洗い機１は、洗浄後の食器を乾燥させる機能を有している。洗浄タンク３の底面３Ｂの前側中央部から右端にかけての部分（貯水部１５の右側）には、洗浄時に洗浄タンク３内に溜められた洗浄水を温めたり、乾燥時に洗浄タンク３内の空気を温めたりするためのループ状のヒータ３９が配置されている。ヒータ３９の上方には、複数の貫通孔（図示せず）が形成された金属製のヒータカバー４０が配置されている。
【００５４】
なお、筐体２の前面の左右両端縁部（洗浄タンク３よりも外側）には、上下方向に延びる防音用シール４１が取り付けられている（図３参照）。この防音用シール４１の働きにより、当該食器洗い機１の運転時に機内で生じる音が外部に漏れるのを防止することができる。
【００５５】
図５は、洗浄タンク３を右側から見た側面図であって、風路部材６９の内部が見えるように概略的に示している。
【００５６】
図５を参照して、洗浄タンク３の右側壁には、送風装置（図示せず）から洗浄タンク３内に機外の空気を送り込む際の風路を構成する風路部材６９が外側から取り付けられている。風路部材６９は、中空状の部材であって、洗浄タンク３の右側方の中央下部から上方に向かって延びる根元部７０と、根元部７０の上端から後側斜め上方に延びる第１傾斜部７１と、第１傾斜部７１の上端から上方に延びた後、略Ｕ字状に湾曲して下方に向かう湾曲部７２と、湾曲部７２の下端から手前側斜め下方に延びる第２傾斜部７３と、第２傾斜部７３の下端から下方に延び、洗浄タンク３の右側壁の前方下部に形成された送風口７５に接続された終端部７４とを備えている。
【００５７】
風路部材６９の根元部７０の下端は送風装置に接続されていて、送風装置に備えられたブロワモータ８５（図６参照）が駆動することにより、機外の空気が風路部材６９内へと吸い込まれるようになっている。送風装置によって機内に吸い込まれた機外の空気は、風路部材６９を通って送風口７５から洗浄タンク３内に送り込まれる。送風口７５はヒータ３９のやや上方に位置しており、送風口７５から洗浄タンク３内の底部に送り込まれた空気は、ヒータ３９によって温められる。
【００５８】
風路部材６９の終端部７４内には、洗浄タンク３内に生じた泡を検知するための泡検知センサ７６が配置されている。この泡検知センサ７６は、たとえば光センサであって、終端部７４の後面に取り付けられ、前方（若干前下がり方向）に向かって光を照射するための発光部７６Ａと、この発光部７６Ａに対向するように終端部７４の前面に取り付けられ、発光部７６Ａから照射された光を受光するための受光部７６Ｂとを備えている。洗浄タンク３内で泡が大量に生じた場合、その泡が送風口７５を介して風路部材６９内（終端部７４内）に入り込む。そして、風路部材６９内に入り込んだ泡が、発光部７６Ａから照射される光の光軸まで到達した場合には、受光部７６Ｂで受光される光量が減少することとなる。このように、受光部７６Ｂで検知する光量の変化に基づいて、洗浄タンク３内における泡の発生状態を検知することができる。
【００５９】
風路部材６９の湾曲部７２の第２傾斜部７３側の端部には、排水路から分岐した分岐ホース７７の先端部が接続されている。排水時には、洗浄兼排水ポンプ２０の排水ポンプ室から排出される洗浄水の一部が、分岐ホース７７を通って風路部材６９内に導かれ、湾曲部７２から第２傾斜部７３に向かって落下する。風路部材６９の第２傾斜部７３内には、この第２傾斜部７３が延びる方向と同じ方向に延びる第１リブ７８が形成されている。この第１リブ７８は、第２傾斜部７３の上端部から下端部まで延びていて、分岐ホース７７から第２傾斜部７３内に落下した洗浄水は、第１リブ７８に沿って下方に導かれる。
【００６０】
第２傾斜部７３の下端部には、略逆Ｖ字状の第２リブ７９が、第１リブ７８の下端に対して一定の間隔を空けて配置されている。第１リブ７８に沿って下方に導かれた洗浄水は、第２リブ７９の頂上部に落下するようになっていて、これにより、第２リブ７９上に落下した洗浄水は、前方および後方に分散されるようになっている。第２リブ７９の後端および前端は、それぞれ泡検知センサ７６の発光部７６Ａおよび受光部７６Ｂの近傍に位置しており、第２リブ７９上を流れる洗浄水は、発光部７６Ａおよび受光部７６Ｂにかかるようになっている。この構成によれば、排水時に、風路部材６９内に供給された洗浄水によって、発光部７６Ａおよび受光部７６Ｂに付着した泡などの汚れを洗い流すことができる。
【００６１】
図６は、この食器洗い機１の電気的構成を示すブロック図である。
【００６２】
図６を参照して、この食器洗い機１の動作は、たとえばマイクロコンピュータを含む制御部８１によって制御される。制御部８１には、操作表示パネル８が入出力可能に接続されている他、水位センサ１６および泡検知センサ７６からの信号が入力されるようになっている。
【００６３】
この実施形態では、洗浄タンク３の底部（たとえば、ヒータ３９の下方）に、洗浄タンク３内に溜められた洗浄水（または水道水）の温度を検知するための温度センサ８２が配置されている。この温度センサ８２はサーミスタを含む構成であって、制御部８１には、温度センサ８２からの信号も入力されるようになっている。
【００６４】
また、制御部８１には、ポンプモータ８３、給水バルブ８４、ヒータ３９およびブロワモータ８５が、負荷駆動部８６を介して接続されている。温度センサ８２からの信号に基づいてヒータ３９の駆動を制御することにより、洗浄タンク３内に溜められた洗浄水（または水道水）の温度を調整することができる。制御部８１は、ポンプモータ８３を高速（たとえば、３０００ｒｐｍ）または低速（たとえば、２３００ｒｐｍ）の２段階で回転（正転または反転）させることができるようになっている。ただし、ポンプモータ８３の回転速度は、２段階に切替可能な構成に限らず、３段階以上に切替可能であってもよい。
【００６５】
図７は、専用洗剤コースにおける制御部８１による制御の流れを示すフローチャートであって、給湯設備から洗浄タンク３内に湯を供給するよう設定されている場合を示している。
【００６６】
図７を参照して、専用洗剤コースでは、制御部８１は、まず、給水バルブ８４を一定時間だけ開いて洗浄タンク３内に水道水（湯）を供給しつつ、ポンプモータ８３を反転させて洗浄タンク３内（貯水部１５内）の水道水を機外に排出させる準備行程を行う（ステップＳ１）。
【００６７】
この食器洗い機１は、機外の給湯設備から洗浄タンク３内に湯を供給して、その洗浄タンク３内に供給した湯と専用洗剤とを混ぜ合わせて洗浄水を生成し、その洗浄水を食器に噴射することにより殺菌洗浄を行うことができるようになっている（高温洗浄）。高温洗浄を行う場合、給湯設備から洗浄タンク３内に給湯を開始したときには常温の水道水が供給され、徐々に水道水の温度が上昇することとなる。したがって、準備行程を行うことにより、給湯開始時に洗浄タンク３内に供給される常温の水道水を排水することができるので、洗浄タンク３内に溜められる湯を十分に高温にすることができる。
【００６８】
準備行程が終了すると、制御部８１は、給水バルブ８４を一定時間だけ開いて洗浄タンク３内に水道水を供給した後、洗浄兼排水ポンプ２０を正転させることにより、洗浄タンク３内に溜められた洗浄水を食器に向けて噴射する洗い行程を実行し（ステップＳ２）、その後にすすぎ行程を実行する（ステップＳ３）。すすぎ行程では、洗浄兼排水ポンプ２０を反転させて洗浄タンク３内の洗浄水（または水道水）を一旦排水した後、給水バルブ８４を開いて洗浄タンク３内に水道水を供給し、洗浄兼排水ポンプ２０を正転させて洗浄タンク３内に溜められた水道水を食器に向けて噴射する行程が３回（第１すすぎ、第２すすぎおよび第３すすぎ）繰り返された後、ヒータ３９を駆動させて洗浄タンク３内に溜められた水道水を温めて、その温められた水道水を食器に向けて噴射する行程（加熱すすぎ）が行われる。
【００６９】
第１すすぎおよび第２すすぎでは、洗浄兼排水ポンプ２０が３０秒間だけ低速で正転された後、３０秒間だけ高速で正転される。第３すすぎでは、洗浄兼排水ポンプ２０が６０秒間だけ高速で正転される。
【００７０】
すすぎ行程が終了すると、制御部８１は、ブロワモータ８５を駆動させて洗浄タンク３内に機外の空気を送り込みつつ、ヒータ３９により洗浄タンク３内の空気を温めて食器を乾燥させる乾燥行程を実行する（ステップＳ４）。
【００７１】
図８は、台所洗剤コースにおける制御部８１による制御の流れを示すフローチャートである。
【００７２】
図８を参照して、台所洗剤コースでは、制御部８１は、まず、給水バルブ８４を一定時間だけ開いて洗浄タンク３内に水道水を供給し、その供給された水道水と台所洗剤とを混ぜ合わせて洗浄水を生成した後、洗浄タンク３内に溜められた洗浄水を食器に向けて噴射して一定時間だけ放置する行程を複数回繰り返すつけ置き行程を実行する（ステップＴ１）。台所洗剤コースでは、洗い行程の前につけ置き行程を行うことにより、洗浄タンク３内に泡が大量に発生するのを防止することができる。
【００７３】
台所洗剤コースでは、専用洗剤コースのように準備行程を行うことなく、つけ置き行程を開始するようになっている。一般的に、台所洗剤は、専用洗剤とは異なり、高温の水道水と混ぜ合わせられて洗浄水が生成された場合に洗浄性能が低下する。台所洗剤コースでは準備行程を行わない構成とすることにより、高温洗浄を実行するよう設定されている場合に洗浄タンク３内に溜められる湯の温度を比較的低くすることができるので、洗浄性能が低下するのを抑制できる。したがって、台所洗剤を用いて食器を洗浄する場合であっても、より良好に食器を洗浄することができる。
【００７４】
また、台所洗剤は専用洗剤と異なり液体であるため、専用洗剤コースのように準備行程を行うと、洗浄タンク３内に供給された台所洗剤が準備行程中にすべて機外に排出されてしまうおそれがあるが、準備行程を行わない構成とすることにより、洗浄タンク３内に供給された台所洗剤がすべて機外に排出されてしまうのを防止できる。
【００７５】
つけ置き行程が終了すると、制御部８１は、洗浄タンク３内に溜められた洗浄水を食器に向けて噴射する洗い行程を実行する（ステップＴ２）。この洗い行程は、専用洗剤コースにおける洗い行程（図７におけるステップＳ２）に相当する。洗い行程が終了すると、制御部８１は、すすぎ行程を実行した後（ステップＴ３）、乾燥行程を実行する（ステップＴ４）。乾燥行程における制御部８１の制御内容は、専用洗剤コースの場合と同様である。
【００７６】
図９は、台所洗剤コースのつけ置き行程における制御部８１による制御の流れを示すフローチャートである。
【００７７】
図９を参照して、つけ置き行程では、制御部８１は、まず、給水バルブ８４を開いて洗浄タンク３内に給水を行うことにより（ステップＥ１）、水道水と台所洗剤とを混ぜ合わせて洗浄水を生成する。そして、洗浄タンク３内に所定水位まで給水が行われると、制御部８１は、洗浄タンク３内に溜められた洗浄水を食器に向けて噴射して一定時間だけ放置する行程を複数回繰り返すことにより、つけ置きを行う（ステップＥ２）。
【００７８】
つけ置きが終了すると、制御部８１は、洗浄兼排水ポンプ２０を０．５秒間正転させ、０．５秒間停止させる動作を２回繰り返すことにより、２秒間だけ間欠運転を行う（ステップＥ３）。その後、制御部８１は、洗浄兼排水ポンプ２０を１５秒間だけ高速で反転させることにより、洗浄タンク３内の洗浄水の排水（排水ＤＷ１）を行い（ステップＥ４）、洗浄兼排水ポンプ２０を２秒間だけ停止させた後（ステップＥ５）、２５秒間だけ給排水（給排水ＦＤ１）を行う（ステップＥ６）。この給排水ＦＤ１では、洗浄兼排水ポンプ２０が１５秒間だけ低速で反転された後に１０秒間だけ高速で反転されることにより排水が行われるとともに、最後の４秒間は、給水バルブ８４が開かれて給水が行われる。
【００７９】
給排水ＦＤ１が終了すると、制御部８１は、洗浄兼排水ポンプ２０を２秒間だけ停止させた後（ステップＥ７）、３０秒間だけ給排水（給排水ＦＤ２）を行う（ステップＥ８）。この給排水ＦＤ２では、洗浄兼排水ポンプ２０が３０秒間だけ低速で反転されることにより排水が行われるとともに、最初の２２秒間は、給水バルブ８４が開かれて給水が行われる。
【００８０】
給排水ＦＤ２が終了すると、制御部８１は、洗浄兼排水ポンプ２０を２秒間だけ停止させた後（ステップＥ９）、１５秒間だけ低速で反転させることにより、洗浄タンク３内の洗浄水の排水（排水ＤＷ２）を行う（ステップＥ１０）。その後、制御部８１は、洗浄兼排水ポンプ２０を２秒間だけ停止させた後（ステップＥ１１）、再び排水ＤＷ２（１５秒間だけ低速で反転）を行う（ステップＥ１２）。そして、制御部８１は、洗浄兼排水ポンプ２０を２秒間だけ停止させた後（ステップＥ１３）、１５秒間だけ高速で反転させることにより、洗浄タンク３内の洗浄水の排水（排水ＤＷ３）を行う（ステップＥ１４）。
【００８１】
ただし、ステップＥ８〜Ｅ１１の制御は省略可能である。また、排水ＤＷ３（ステップＥ１４）は、ステップＥ１２の排水ＤＷ２が不十分であった場合にのみ行われるような構成であってもよい。
【００８２】
図１０は、台所洗剤コースの洗い行程における制御部８１による制御の流れを示すフローチャートである。
【００８３】
図１０を参照して、洗い行程では、制御部８１は、まず、給水バルブ８４を開いて洗浄タンク３内に給水を行う（ステップＰ１）。そして、洗浄タンク３内に所定水位まで給水が行われると、制御部８１は、洗浄タンク３内に溜められた洗浄水を食器に向けて噴射することにより、洗いを行う（ステップＰ２）。
【００８４】
洗いが終了すると、制御部８１は、洗浄兼排水ポンプ２０を０．５秒間正転させ、０．５秒間停止させる動作を２回繰り返すことにより、２秒間だけ間欠運転を行う（ステップＰ３）。その後、制御部８１は、洗浄兼排水ポンプ２０を１５秒間だけ高速で反転させることにより、洗浄タンク３内の洗浄水の排水（排水ＤＷ１）を行い（ステップＰ４）、洗浄兼排水ポンプ２０を２秒間だけ停止させた後（ステップＰ５）、２５秒間だけ給排水（給排水ＦＤ１）を行う（ステップＰ６）。この給排水ＦＤ１における動作内容は、図９のステップＥ６の給排水ＦＤ１と同様である。
【００８５】
給排水ＦＤ１が終了すると、制御部８１は、洗浄兼排水ポンプ２０を２秒間だけ停止させた後（ステップＰ７）、１５秒間だけ低速で反転させることにより、洗浄タンク３内の洗浄水の排水（排水ＤＷ２）を行う（ステップＰ８）。その後、制御部８１は、洗浄兼排水ポンプ２０を２秒間だけ停止させた後（ステップＰ９）、１５秒間だけ高速で反転させることにより、洗浄タンク３内の洗浄水の排水（排水ＤＷ３）を行う（ステップＰ１０）。
【００８６】
ただし、排水ＤＷ３（ステップＰ１０）は、ステップＰ８の排水ＤＷ２が不十分であった場合にのみ行われるような構成であってもよい。
【００８７】
専用洗剤コースにおける洗い行程（図７のステップＳ２）では、上記のような台所洗剤コースにおける洗い行程と同様の制御が行われる。すなわち、専用洗剤コースにおける洗い行程中に行われる給排水は、２５秒間の給排水ＦＤ１（給水時間は４秒間）だけである（図１０のステップＰ６）。これに対して、上述の通り、台所洗剤コースにおけるつけ置き行程では、２５秒間の給排水ＦＤ１（給水時間は４秒間）を行った後（図９のステップＥ６）、さらに３０秒間の給排水ＦＤ２（給水時間は２２秒間）を行うような構成となっている（図９のステップＥ８）。このように、台所洗剤コースのときは、専用洗剤コースのときよりも長い時間だけ給排水を行うような構成とすることにより、洗浄兼排水ポンプ２０内により多くの洗浄水を流入させて、当該洗浄兼排水ポンプ２０から機外に排出させることができる。これにより、給排水時に洗浄タンク３内に供給される水道水と一緒に、洗浄タンク３内に残った泡および洗浄兼排水ポンプ２０内に溜まった泡を機外に良好に排出することができる。したがって、機内に生じる泡を効果的に除去することができる。
【００８８】
ただし、台所洗剤コースのつけ置き行程における給排水の時間を長くするような構成に限らず、他の行程（たとえば、洗い行程やすすぎ行程）における給排水の時間を長くするような構成であってもよい。
【００８９】
図１１は、台所洗剤コースの第１〜第３すすぎにおける制御部８１による制御の流れを示すフローチャートである。第１〜第３すすぎでは、それぞれ、図１１に示すような同様の流れで制御部８１による制御が行われる。
【００９０】
図１１を参照して、第１〜第３すすぎでは、制御部８１は、まず、給水バルブ８４を開いて洗浄タンク３内に給水を行う（ステップＱ１）。そして、洗浄タンク３内に所定水位まで給水が行われると、制御部８１は、洗浄タンク３内に溜められた水道水を食器に向けて噴射することにより、すすぎを行う（ステップＱ２）。このすすぎは、第１すすぎでは、洗浄兼排水ポンプ２０が３０秒間だけ低速で正転された後、３０秒間だけ高速で正転される一方、第２すすぎおよび第３すすぎでは、洗浄兼排水ポンプ２０が３０秒間だけ低速で正転された後、１５０秒間だけ高速で正転され、さらに５９秒間だけ停止された後に、２秒間だけ間欠運転（０．５秒間正転させ、０．５秒間停止させる動作を２回繰り返す動作）が行われる。
【００９１】
このように、第２すすぎおよび第３すすぎでは、ステップＱ２のすすぎ時において、洗浄兼排水ポンプ２０が５９秒間（約１分）だけ停止されることにより、洗浄タンク３内の泡を良好に自然消滅させることができる。さらに、その後に２秒間だけ間欠運転が行われることにより、水面の隅（洗浄タンク３の内面寄り）などに残った泡を洗浄タンク３内の水道水に溶け込ませることができるので、洗浄タンク３内の泡をさらに良好に除去することができる。したがって、機内に生じる泡を効果的に除去することができる。
【００９２】
すすぎが終了すると、制御部８１は、洗浄兼排水ポンプ２０を０．５秒間正転させ、０．５秒間停止させる動作を２回繰り返すことにより、２秒間だけ間欠運転を行う（ステップＱ３）。その後、制御部８１は、洗浄兼排水ポンプ２０を１５秒間だけ高速で反転させることにより、洗浄タンク３内の水道水の排水（排水ＤＷ１）を行い（ステップＱ４）、洗浄兼排水ポンプ２０を２秒間だけ停止させた後（ステップＱ５）、２５秒間だけ給排水（給排水ＦＤ１）を行う（ステップＱ６）。この給排水ＦＤ１における動作内容は、図９のステップＥ６および図１０のステップＰ６の給排水ＦＤ１と同様である。
【００９３】
給排水ＦＤ１が終了すると、制御部８１は、洗浄兼排水ポンプ２０を２秒間だけ停止させた後（ステップＱ７）、１５秒間だけ低速で反転させることにより、洗浄タンク３内の水道水の排水（排水ＤＷ２）を行う（ステップＱ８）。その後、制御部８１は、洗浄兼排水ポンプ２０を２秒間だけ停止させた後（ステップＱ９）、１５秒間だけ高速で反転させることにより、洗浄タンク３内の水道水の排水（排水ＤＷ３）を行う（ステップＱ１０）。
【００９４】
ただし、排水ＤＷ３（ステップＱ１０）は、ステップＱ８の排水ＤＷ２が不十分であった場合にのみ行われるような構成であってもよい。
【００９５】
図１２は、台所洗剤コースの加熱すすぎにおける制御部８１による制御の流れを示すフローチャートである。
【００９６】
図１２を参照して、加熱すすぎでは、制御部８１は、まず、給水バルブ８４を開いて洗浄タンク３内に給水を行う（ステップＲ１）。そして、洗浄タンク３内に所定水位まで給水が行われると、制御部８１は、ヒータ３９を駆動させて洗浄タンク３内に溜められた水道水を温めて、その温められた水道水を食器に向けて噴射することにより、加熱すすぎを行う（ステップＲ２）。
【００９７】
加熱すすぎが終了すると、制御部８１は、洗浄兼排水ポンプ２０を０．５秒間正転させ、０．５秒間停止させる動作を２回繰り返すことにより、２秒間だけ間欠運転を行う（ステップＲ３）。その後、制御部８１は、洗浄兼排水ポンプ２０を５秒間だけ高速で反転させることにより、洗浄タンク３内の水道水の排水（排水ＤＷ５）を行い（ステップＲ４）、洗浄兼排水ポンプ２０を２秒間だけ停止させた後（ステップＲ５）、６０秒間だけ給排水（給排水ＦＤ３）を行う（ステップＲ６）。この給排水ＦＤ３では、洗浄兼排水ポンプ２０が、１０秒間の高速反転、１０秒間の低速反転、３秒間の停止、５秒間の低速反転、２秒間の停止、１０秒間の低速反転、４秒間の停止、６秒間の低速反転、２秒間の停止、８秒間の低速反転といった順序で駆動されることにより排水が行われるとともに、開始から１８秒経過後に５秒間だけ給水バルブ８４が開かれることにより給水が行われる。また、給排水ＦＤ３では、開始から１５秒経過した後、当該給排水ＦＤ３が終了するまでの間に、ブロワモータ８５が０．３秒間回転され、２．７秒間停止されるといった動作が複数回繰り返される。
【００９８】
給排水ＦＤ３が終了すると、制御部８１は、洗浄兼排水ポンプ２０を２秒間だけ停止させた後（ステップＲ７）、３０秒間だけ高速で反転させることにより、洗浄タンク３内の洗浄水の排水（排水ＤＷ６）を行う（ステップＲ８）。
【００９９】
ただし、排水ＤＷ６（ステップＲ８）は、ステップＲ６の給排水ＦＤ３における排水が不十分であった場合にのみ行われるような構成であってもよい。
【０１００】
洗浄時に、ポンプモータ８３が正転されることにより、貯水部１５から循環口２２を介して洗浄兼排水ポンプ２０（洗浄ポンプ室）に吸い込まれた洗浄水が、送水管３６を介して天面ノズル３５に送られ、天面ノズル３５から下方に噴射される点については既に述べたが、排水時に、ポンプモータ８３が反転され、洗浄ポンプ室内の洗浄用インペラが洗浄時とは逆方向に回転した場合でも、洗浄時よりは極めて水圧が劣るものの、洗浄ポンプ室から送水管３６へと洗浄水が圧送される。したがって、排水時にも、若干量ではあるが天面ノズル３５から洗浄水が噴射されることとなる。
【０１０１】
この実施形態では、洗浄タンク３内に収容された食器に向けて水（洗浄水または水道水）を噴射する行程（つけ置き、洗い、第１〜第３すすぎ、加熱すすぎなど）の後に行われる排水時（ステップＥ４，Ｐ４，Ｑ４，Ｒ４）に、洗浄兼排水ポンプ２０が所定時間だけ高速で反転されるようになっているので、排水時に洗浄兼排水ポンプ２０の洗浄ポンプ室から送水管３６へと送られる水の量が多くなる。したがって、送水管３６内に溜まった泡を天面ノズル３５から排出させて洗浄タンク３内の水に溶け込ませ、その水を洗浄兼排水ポンプ２０で吸い込んで機外に排出することができる。したがって、機内に生じる泡を効果的に除去することができる。
【０１０２】
また、洗浄兼排水ポンプ２０が高速で反転されると、洗浄兼排水ポンプ２０の排水ポンプ室から分岐ホース７７を介して泡検知センサ７６側へと送られる洗浄水の量も多くなる。したがって、分岐ホース７７内および風路部材６９内に溜まった泡を送風口７５から排出させて洗浄タンク３内の水に溶け込ませ、その水を洗浄兼排水ポンプ２０の排水ポンプ室を介して機外に排出することができる。したがって、機内に生じる泡をさらに効果的に除去することができる。
【０１０３】
すすぎ行程（第１〜第３すすぎおよび加熱すすぎ）では、洗浄タンク３内に所定量以上の泡が発生しているか否かを検知して、所定量以上の泡が発生している場合にはすすぎの時間を延長するといった処理（すすぎ延長処理）を行うことができるようになっている。
【０１０４】
図１３は、すすぎ延長処理を行う場合におけるすすぎ行程中の制御部８１による制御の流れを示すフローチャートである。
【０１０５】
図１３を参照して、すすぎ延長処理を行う場合、制御部８１は、第１すすぎおよび第２すすぎを行った後（ステップＵ１，Ｕ２）、第２すすぎ中に洗浄タンク３内に所定量以上の泡が発生したと検知されているか否かを判定する（ステップＵ３）。そして、第２すすぎ中に洗浄タンク３内に所定量以上の泡が発生したと検知されている場合には（ステップＵ３でＹＥＳ）、制御部８１は、第２すすぎの繰り返し回数が７回以内であるか否かを判定し（ステップＵ８）、第２すすぎの繰り返し回数が７回以内であれば（ステップＵ８でＹＥＳ）、再び第２すすぎを行う（ステップＵ２）。
【０１０６】
このようにして第２すすぎが繰り返された結果、第２すすぎの繰り返し回数が７回を超えた場合には（ステップＵ８でＮＯ）、制御部８１は、洗浄タンク３内に給水を行ってから、洗浄兼排水ポンプ２０を間欠運転させて洗浄タンク３内の水道水をノズル２８，３２，３３，３５から断続的に噴射させた後、洗浄タンク３内の水道水を排水させるといった動作を複数回繰り返すことにより、洗浄タンク３内の泡を除去するための処理（泡除去処理）を行う（ステップＵ９）。そして、泡除去処理が終了した時点で、制御部８１は、操作表示パネル８の表示や音によってエラー報知を行い（ステップＵ１０）、運転を終了する。
【０１０７】
第２すすぎ中に洗浄タンク３内に所定量以上の泡が発生したと検知されなかった場合には（ステップＵ３でＮＯ）、制御部８１は、第３すすぎを行い（ステップＵ４）、第３すすぎ中に洗浄タンク３内に所定量以上の泡が発生したと検知されているか否かを判定する（ステップＵ５）。そして、第３すすぎ中に洗浄タンク３内に所定量以上の泡が発生したと検知されている場合には（ステップＵ５でＹＥＳ）、制御部８１は、第２すすぎの繰り返し回数が７回以内であるか否かを判定し（ステップＵ８）、第２すすぎの繰り返し回数が７回以内であれば（ステップＵ８でＹＥＳ）、再び第２すすぎを行う（ステップＵ２）。一方、第２すすぎの繰り返し回数が７回を超えている場合には（ステップＵ８でＮＯ）、制御部８１は、泡除去処理を行った後（ステップＵ９）、エラー報知を行い（ステップＵ１０）、運転を終了する。
【０１０８】
第３すすぎ中に洗浄タンク３内に所定量以上の泡が発生したと検知されなかった場合には（ステップＵ５でＮＯ）、制御部８１は、加熱すすぎを行い（ステップＵ６）、加熱すすぎ中に洗浄タンク３内に所定量以上の泡が発生したと検知されているか否かを判定する（ステップＵ７）。そして、加熱すすぎ中に洗浄タンク３内に所定量以上の泡が発生したと検知されている場合には（ステップＵ７でＹＥＳ）、制御部８１は、第２すすぎの繰り返し回数が７回以内であるか否かを判定し（ステップＵ８）、第２すすぎの繰り返し回数が７回以内であれば（ステップＵ８でＹＥＳ）、再び第２すすぎを行う（ステップＵ２）。一方、第２すすぎの繰り返し回数が７回を超えている場合には（ステップＵ８でＮＯ）、制御部８１は、泡除去処理を行った後（ステップＵ９）、エラー報知を行い（ステップＵ１０）、運転を終了する。
【０１０９】
このようにして第２すすぎが最大で７回行われる間、加熱すすぎ中に洗浄タンク３内に所定量以上の泡が発生したと検知されなかった場合には（ステップＵ７でＮＯ）、すすぎ行程が終了する。
【０１１０】
この実施形態では、台所洗剤コースにおけるすすぎ行程中、泡検知センサ７６によって洗浄タンク３内に所定量以上の泡が生じていると検知された場合に、すすぎ行程が延長されるので、洗浄タンク３内の泡を良好に除去することができる。したがって、機内に生じる泡を効果的に除去することができる。
【０１１１】
また、第２すすぎの繰り返し回数が７回を超えるまですすぎ行程を延長しても洗浄タンク３内の泡が上記所定量未満にならないときには、泡除去処理が行われることにより、洗浄タンク３内の泡が除去される。したがって、機内に生じる泡をさらに効果的に除去することができる。
【０１１２】
この発明は、以上の実施形態の内容に限定されるものではなく、請求項記載の範囲内において種々の変更が可能である。
【０１１３】
たとえば、食器かご９に収容された食器に向けて洗浄水（または水道水）を噴射する手段は、回転ノズルアーム２６、固定ノズルアーム２９および天面ノズル３５に限らず、洗浄タンク３の左右側面に備えられたノズルなどを含む構成であってもよい。
【図面の簡単な説明】
【０１１４】
【図１】この発明の一実施形態に係る食器洗い機を正面側から斜めに見た斜視図である。
【図２】食器洗い機を前後方向に沿った鉛直面で切断したときの断面を右側から見た断面図である。
【図３】上扉および下扉を取り外した状態で食器洗い機を前方から見た正面図である。
【図４】食器洗い機を前後方向に沿った水平面で切断したときの断面を上方から見た断面図である。
【図５】洗浄タンクを右側から見た側面図である。
【図６】この食器洗い機の電気的構成を示すブロック図である。
【図７】専用洗剤コースにおける制御部による制御の流れを示すフローチャートである。
【図８】台所洗剤コースにおける制御部による制御の流れを示すフローチャートである。
【図９】台所洗剤コースのつけ置き行程における制御部による制御の流れを示すフローチャートである。
【図１０】台所洗剤コースの洗い行程における制御部による制御の流れを示すフローチャートである。
【図１１】台所洗剤コースの第１〜第３すすぎにおける制御部による制御の流れを示すフローチャートである。
【図１２】台所洗剤コースの加熱すすぎにおける制御部による制御の流れを示すフローチャートである。
【図１３】すすぎ延長処理を行う場合におけるすすぎ行程中の制御部による制御の流れを示すフローチャートである。
【符号の説明】
【０１１５】
１  食器洗い機
３  洗浄タンク
２０  洗浄兼排水ポンプ
２３  吐出口
２６  回転ノズルアーム
２９  固定ノズルアーム
３５  天面ノズル
７６  泡検知センサ
７７  分岐ホース
８１  制御部
８３  ポンプモータ
８４  給水バルブ
【図１】
2005058364.tif 000003
【図２】
2005058364.tif 000004
【図３】
2005058364.tif 000005
【図４】
2005058364.tif 000006
【図５】
2005058364.tif 000007
【図６】
2005058364.tif 000008
【図７】
2005058364.tif 000009
【図８】
2005058364.tif 000010
【図９】
2005058364.tif 000011
【図１０】
2005058364.tif 000012
【図１１】
2005058364.tif 000013
【図１２】
2005058364.tif 000014
【図１３】
2005058364.tif 000015